(57)【要約】【課題】商品陳列作業の効率化を補助する棚札を提供する。【解決手段】棚札１００には、その商品Ｇ２の商品名２５ｂ及び価格２５ｃと、陳列棚Ｔに列方向に陳列する商品Ｇ２の陳列位置２７ｅを示す寸法値とが少なくとも印字される。【選択図】      図９
2006218030.tif 000002
【特許請求の範囲】
【請求項１】
商品を陳列する陳列棚に取り付ける棚札であって、
前記商品の商品名及び価格と、前記陳列棚に列方向に陳列する当該商品の陳列位置を示す寸法値とが少なくとも印字されてなる棚札。
【請求項２】
前記商品の陳列位置を示す寸法値は、前記陳列棚の列方向一端からの絶対位置、もしくは隣接する各商品間の相対位置を示す寸法値である、
請求項１記載の棚札。
【請求項３】
前記棚札は、前記列方向に陳列する前記商品の陳列範囲に相当する長さで形成される、
請求項１又は２記載の棚札。
【請求項４】
商品を陳列する陳列棚に取り付ける棚札であって、
前記陳列棚の一列分に相当する長さで短冊状に形成され、前記陳列棚に列方向に陳列する一列分の複数の商品について、少なくともそれら各商品の商品名と価格とが当該各商品を陳列する陳列位置に対応した位置にそれぞれ印字されてなる棚札。
【請求項５】
前記棚札には、前記商品を販売する店舗、もしくは該商品を供給するメーカの広告情報がさらに印字される、
請求項１乃至４のいずれか一項記載の棚札。
【請求項６】
前記棚札には、前記商品、前記陳列棚、もしくは該商品を供給するメーカに応じて設定された背景模様、もしくは背景色が印字される、
請求項１乃至５のいずれか一項記載の棚札。
【請求項７】
前記棚札には、前記商品の商品画像がさらに印字される、
請求項１乃至６のいずれか一項記載の棚札。
【請求項８】
前記棚札は、ロール紙を印刷媒体として作成される、
請求項１乃至７のいずれか一項記載の棚札。
【請求項９】
商品を陳列する陳列棚に取り付ける棚札を作成する棚札作成システムであって、
前記陳列棚に列方向に陳列する前記商品の陳列順番及びその陳列数と、前記商品の商品寸法とに基づいて、前記列方向に陳列する前記商品の陳列位置を算出する手段と、
少なくとも前記商品の商品名及び価格と前記陳列位置を示す寸法値とをレイアウトしてなる棚札データを作成する手段と、
前記棚札データを印刷データに変換する手段と、
前記印刷データに基づいて前記棚札を印刷する手段と、
を備えたことを特徴とする棚札作成システム。
【請求項１０】
前記棚札データを、前記列方向に陳列する前記商品の陳列範囲に相当する長さで作成する、
請求項９記載の棚札作成システム。
【請求項１１】
商品を陳列する陳列棚に取り付ける棚札を作成する棚札作成システムであって、
前記陳列棚に列方向に陳列する前記商品の陳列順番及びその陳列数と、前記商品の商品寸法とに基づいて、前記列方向に陳列する前記商品の陳列位置を算出する手段と、
前記陳列棚に陳列する一列分の複数の商品について、少なくともそれら各商品の商品名と価格とを当該各商品の前記陳列位置に対応した位置にそれぞれレイアウトしてなる棚札データを前記陳列棚の一列分に相当する長さで作成する手段と、
前記棚札データを印刷データに変換する手段と、
前記印刷データに基づいて前記棚札を印刷する手段と、
を備えたことを特徴とする棚札作成システム。
【請求項１２】
商品を陳列する陳列棚に取り付ける棚札を作成する棚札作成方法であって、
前記陳列棚に列方向に陳列する前記商品の陳列順番及びその陳列数と、前記商品の商品寸法とに基づいて、前記列方向に陳列する前記商品の陳列位置を算出するステップと、
少なくとも前記商品の商品名及び価格と前記陳列位置を示す寸法値とをレイアウトしてなる棚札データを作成するステップと、
前記棚札データを印刷データに変換するステップと、
前記印刷データに基づいて前記棚札を印刷するステップと、
を備えたことを特徴とする棚札作成方法。
【請求項１３】
コンピュータにより実行され、商品を陳列する陳列棚に取り付ける棚札を作成するためのプログラムであって、
前記コンピュータが、
前記陳列棚に列方向に陳列する前記商品の陳列順番及びその陳列数と、前記商品の商品寸法とに基づいて、前記列方向に陳列する前記商品の陳列位置を算出する処理と、
少なくとも前記商品の商品名及び価格と前記陳列位置を示す寸法値とをレイアウトしてなる棚札データを作成する処理と、
前記棚札データを印刷データに変換する処理と、
前記印刷データに基づいて前記棚札を印刷する処理と、
を実行するためのプログラム。
【請求項１４】
コンピュータにより実行され、商品を陳列する陳列棚に取り付ける棚札を作成するためのプログラムを記憶した記憶媒体であって、
前記コンピュータが、
前記陳列棚に列方向に陳列する前記商品の陳列順番及びその陳列数と、前記商品の商品寸法とに基づいて、前記列方向に陳列する前記商品の陳列位置を算出する処理と、
少なくとも前記商品の商品名及び価格と前記陳列位置を示す寸法値とをレイアウトしてなる棚札データを作成する処理と、
前記棚札データを印刷データに変換する処理と、
前記印刷データに基づいて前記棚札を印刷する処理と、
を実行するためのプログラムを記憶した記憶媒体。
【発明の詳細な説明】
【技術分野】
【０００１】
この発明は、商品の陳列作業を補助する補助棚札として使用するに好適な棚札、並びに棚札作成システム、棚札作成方法、棚札作成プログラム、及びそれを記憶した記憶媒体に関するものである。
【背景技術】
【０００２】
従来、商品の陳列作業は一般には、各商品を例えば陳列棚の左端から順に陳列していき、その後、各商品の棚札をそれぞれ棚内の商品位置に対応させてレールに取り付けていくといった手順で行われている。しかしこの手順だと、陳列作業時に、商品を陳列する位置を正確に把握できないため、商品を推測で陳列することになり、陳列作業が非効率となっていた。こうした事態を改善すべく、例えば特許文献１に記載の構成では、陳列棚を複数の棚に区画してそれら各棚にそれぞれ棚番を付し、この棚番に基づいて作成した棚札を棚に取り付けた後、商品の陳列作業を行うことで、作業の効率化を図るようにしている。
【特許文献１】特開平１１−３０６４３６号公報
【発明の開示】
【発明が解決しようとする課題】
【０００３】
しかしながら、上記特許文献１の構成では、陳列棚を商品毎に複数の棚に区画する必要があるため、陳列棚に列方向に複数の商品を陳列する場合に、その陳列棚が列方向に区画されていなければ、その構成を採用することができないものであった。このため、陳列棚の種類によっては陳列作業が非効率となり、こうした点においてなお従来が抱える問題を依然として残すものであった。
【０００４】
この発明は、こうした従来の実情に鑑みてなされたものであり、その目的は、商品陳列作業の効率化を補助することのできる棚札、棚札作成システム、棚札作成方法、プログラム及び記憶媒体を提供することにある。
【課題を解決するための手段】
【０００５】
上記目的を達成するため、この発明の第１の態様は、商品を陳列する陳列棚に取り付ける棚札であって、前記商品の商品名及び価格と、前記陳列棚に列方向に陳列する当該商品の陳列位置を示す寸法値とが少なくとも印字されてなる棚札であることを要旨とする。
【０００６】
この構成によれば、棚札には、商品の商品名及び価格とともに陳列位置を示す寸法値が印字されるため、たとえ陳列棚が列方向に区画されていなくとも、棚札に印字されている陳列位置に基づいて棚札を陳列棚に取り付けた後に、その棚札の位置に商品の陳列を行えば、商品の陳列位置を把握しながら陳列作業を効率よく行うことができる。
【０００７】
上記構成の棚札においては、前記商品の陳列位置を示す寸法値は、前記陳列棚の列方向一端からの絶対位置、もしくは隣接する各商品間の相対位置を示す寸法値である、といった態様を採用することもできる。
【０００８】
この構成によれば、陳列棚の一端（左端又は右端）からの絶対位置、もしくは各商品間の相対位置を示す寸法値にて印字された陳列位置に基づいて、棚札をその商品の陳列位置に対応した位置に正確に取り付けることができる。
【０００９】
上記構成の棚札においては、前記棚札は、前記列方向に陳列する前記商品の陳列範囲に相当する長さで形成される、といった態様を採用することもできる。
この構成によれば、棚札が商品の陳列範囲に相当する長さで形成されるため、商品陳列を陳列棚に取り付けられた棚札の長さを目安に行うことができる。これにより、陳列作業を効率良く行うことができる。
【００１０】
この発明の第２の態様は、商品を陳列する陳列棚に取り付ける棚札であって、前記陳列棚の一列分に相当する長さで短冊状に形成され、前記陳列棚に列方向に陳列する一列分の複数の商品について、少なくともそれら各商品の商品名と価格とが当該各商品を陳列する陳列位置に対応した位置にそれぞれ印字されてなる棚札であることを要旨とする。
【００１１】
この構成によれば、棚札には、陳列棚に陳列する一列分の各商品の商品名と価格とが、それら各商品の陳列位置に対応した位置にそれぞれ印字される。すなわち、本構成では、陳列棚の長さを有する短冊状の棚札に、該陳列棚一列分の各商品の棚札が一括して印字される。こうした棚札では、たとえ陳列棚が列方向に区画されていなくとも、棚札を陳列棚に取り付けた後に、その棚札に印字されている各商品の商品名及び価格の印字位置にそれぞれ商品を陳列していけば、商品の陳列位置を把握しながら陳列作業を効率良く行うことができる。
【００１２】
上記構成の棚札においては、前記棚札には、前記商品を販売する店舗もしくは該商品を供給するメーカの広告情報がさらに印字される、といった態様を採用することもできる。
この構成によれば、棚札には、広告情報が併せて印字されるため、付加価値の高い棚札を提供することができる。
【００１３】
上記構成の棚札においては、前記棚札には、前記商品、前記陳列棚、もしくは該商品を供給するメーカに応じて設定された背景模様もしくは背景色が印字される、といった態様を採用することもできる。
【００１４】
この構成によれば、棚札には、商品、陳列棚、もしくは商品の供給メーカに応じた背景模様もしくは背景色が印字されるため、例えば商品毎やメーカ毎に棚札の背景色を変更するといった態様とすれば、商品を見分け易くして、陳列作業をより効率良く行うことができるようになる。
【００１５】
上記構成の棚札においては、前記棚札には、前記商品の商品画像がさらに印字される、といった態様を採用することもできる。
この構成によれば、棚札には、商品画像がさらに印字されるため、商品を見分け易くして、陳列作業をより効率良く行うことができるようになる。
【００１６】
上記構成の棚札においては、前記棚札は、ロール紙を印刷媒体として作成される、といった態様を採用することもできる。
この構成のように、ロール紙を印刷媒体として棚札を作成すれば、棚札の作成が容易となるため好適である。
【００１７】
この発明の第３の態様は、商品を陳列する陳列棚に取り付ける棚札を作成する棚札作成システムであって、前記陳列棚に列方向に陳列する前記商品の陳列順番及びその陳列数と、前記商品の商品寸法とに基づいて、前記列方向に陳列する前記商品の陳列位置を算出する手段と、少なくとも前記商品の商品名及び価格と前記陳列位置を示す寸法値とをレイアウトしてなる棚札データを作成する手段と、前記棚札データを印刷データに変換する手段と、前記印刷データに基づいて前記棚札を印刷する手段と、を備えたことを要旨とする。
【００１８】
この構成によれば、棚札には、商品の商品名及び価格とともに、商品の陳列順番、陳列数、及び商品寸法に基づいて算出された商品の陳列位置を示す寸法値が印字される。これにより、たとえ陳列棚が列方向に区画されていなくとも、棚札に印字されている陳列位置に基づいて棚札を陳列棚に取り付けた後に、その棚札の位置に商品の陳列を行えば、商品の陳列位置を把握しながら陳列作業を効率よく行うことができる。
【００１９】
上記構成の棚札作成システムにおいては、前記棚札データを、前記列方向に陳列する前記商品の陳列範囲に相当する長さで作成する、といった態様を採用することもできる。
この構成によれば、棚札が商品の陳列範囲に相当する長さで形成されるため、商品陳列を陳列棚に取り付けられた棚札の長さを目安に行うことができる。これにより、陳列作業を効率良く行うことができる。
【００２０】
この発明の第４の態様は、商品を陳列する陳列棚に取り付ける棚札を作成する棚札作成システムであって、前記陳列棚に列方向に陳列する前記商品の陳列順番及びその陳列数と、前記商品の商品寸法とに基づいて、前記列方向に陳列する前記商品の陳列位置を算出する手段と、前記陳列棚に陳列する一列分の複数の商品について、少なくともそれら各商品の商品名と価格とを当該各商品の前記陳列位置に対応した位置にそれぞれレイアウトしてなる棚札データを前記陳列棚の一列分に相当する長さで作成する手段と、前記棚札データを印刷データに変換する手段と、前記印刷データに基づいて前記棚札を印刷する手段と、を備えたことを要旨とする。
【００２１】
この構成によれば、棚札には、陳列棚に陳列する一列分の各商品の商品名と価格とが、それら各商品の陳列位置に対応した位置にそれぞれ印字される。すなわち、本構成では、陳列棚の長さを有する短冊状の棚札に、該陳列棚一列分の各商品の棚札が一括して印字される。こうした棚札では、たとえ陳列棚が列方向に区画されていなくとも、棚札を陳列棚に取り付けた後に、その棚札に印字されている各商品の商品名及び価格の印字位置にそれぞれ商品を陳列していけば、商品の陳列位置を把握しながら陳列作業を効率良く行うことができる。
【００２２】
この発明の第５の態様は、商品を陳列する陳列棚に取り付ける棚札を作成する棚札作成方法であって、前記陳列棚に列方向に陳列する前記商品の陳列順番及びその陳列数と、前記商品の商品寸法とに基づいて、前記列方向に陳列する前記商品の陳列位置を算出するステップと、少なくとも前記商品の商品名及び価格と前記陳列位置を示す寸法値とをレイアウトしてなる棚札データを作成するステップと、前記棚札データを印刷データに変換するステップと、前記印刷データに基づいて前記棚札を印刷するステップと、を備えたことを要旨とする。
【００２３】
この方法によれば、棚札には、商品の商品名及び価格とともに、商品の陳列順番、陳列数、及び商品寸法に基づいて算出された商品の陳列位置を示す寸法値が印字される。これにより、たとえ陳列棚が列方向に区画されていなくとも、棚札に印字されている陳列位置に基づいて棚札を陳列棚に取り付けた後に、その棚札の位置に商品の陳列を行えば、商品の陳列位置を把握しながら陳列作業を効率よく行うことができる。
【００２４】
この発明の第６の態様は、コンピュータにより実行され、商品を陳列する陳列棚に取り付ける棚札を作成するためのプログラムであって、前記コンピュータが、前記陳列棚に列方向に陳列する前記商品の陳列順番及びその陳列数と、前記商品の商品寸法とに基づいて、前記列方向に陳列する前記商品の陳列位置を算出する処理と、少なくとも前記商品の商品名及び価格と前記陳列位置を示す寸法値とをレイアウトしてなる棚札データを作成する処理と、前記棚札データを印刷データに変換する処理と、前記印刷データに基づいて前記棚札を印刷する処理と、を実行するためのプログラムであることを要旨とする。
【００２５】
このプログラムによれば、棚札には、商品の商品名及び価格とともに、商品の陳列順番、陳列数、及び商品寸法に基づいて算出された商品の陳列位置を示す寸法値が印字される。これにより、たとえ、陳列棚が列方向に区画されていなくとも、棚札に印字されている陳列位置に基づいて棚札を陳列棚に取り付けた後に、その棚札の位置に商品の陳列を行えば、商品の陳列位置を把握しながら陳列作業を効率よく行うことができる。
【００２６】
この発明の第７の態様は、コンピュータにより実行され、商品を陳列する陳列棚に取り付ける棚札を作成するためのプログラムを記憶した記憶媒体であって、前記コンピュータが、前記陳列棚に列方向に陳列する前記商品の陳列順番及びその陳列数と、前記商品の商品寸法とに基づいて、前記列方向に陳列する前記商品の陳列位置を算出する処理と、少なくとも前記商品の商品名及び価格と前記陳列位置を示す寸法値とをレイアウトしてなる棚札データを作成する処理と、前記棚札データを印刷データに変換する処理と、前記印刷データに基づいて前記棚札を印刷する処理と、を実行するためのプログラムを記憶した記憶媒体であることを要旨とする。
【００２７】
この記憶媒体によって提供されるプログラムによれば、棚札には、商品の商品名及び価格とともに、商品の陳列順番、陳列数、及び商品寸法に基づいて算出された商品の陳列位置を示す寸法値が印字される。これにより、たとえ、陳列棚が列方向に区画されていなくとも、棚札に印字されている陳列位置に基づいて棚札を陳列棚に取り付けた後に、その棚札の位置に商品の陳列を行えば、商品の陳列位置を把握しながら陳列作業を効率よく行うことができる。
【発明を実施するための最良の形態】
【００２８】
（第１の実施の形態）
以下、この発明を具体化した第１の実施の形態を図面に従って説明する。
図１は、本実施の形態における棚札作成システム１を示す概略構成図である。棚札作成システム１（コンピュータシステム）は、コンピュータのデータベースを用いて、後述する棚札１００（図９）の作成や各種データの管理を行うものであり、本例ではクライアント／サーバ方式のリレーショナル型データモデルを元にシステム構築されている。
【００２９】
棚札作成システム１は、店舗２に設置されるクライアント・コンピュータとしての店舗端末１２と、店舗２の例えば本社３に設置されるサーバ・コンピュータとしての管理サーバ１３とを備えている。それら店舗端末１２と管理サーバ１３とは、ネットワーク１４（例えばインターネット）を介して相互に接続されている。
【００３０】
管理サーバ１３は、ＷｅｂサーバやＦＴＰサーバ等のサーバ機能を統合的に有して構成されている。管理サーバ１３と店舗端末１２との間のデータの授受は所定の通信プロトコル（例えばＴＣＰ／ＩＰ）にしたがって行われる。なお、本例では、一台の管理サーバ１３にサーバ機能を統合した態様としているが、サーバ機能の分散／統合の態様はこの態様に限られず、サーバ機能の全部又は一部を負荷等に応じて機能的又は物理的に分散／統合する等、任意の単位で構成することができる。
【００３１】
店舗端末１２は、例えばパーソナルコンピュータで構成されている。この店舗端末１２には、例えばカラーインクジェット式プリンタよりなるプリンタ１５が接続されている。このプリンタ１５は、店舗端末１２により作成される後述する印刷データに基づいて棚札を印刷する。なお、図１には店舗端末１２を一台のみ示すが、店舗端末１２は各店舗２に一台以上設置される。
【００３２】
管理サーバ１３には、棚札の作成に必要な各種データが記憶されたデータベース１６が接続されている。このデータベース１６は、商品データ記憶部２１と、画像データ記憶部２２と、陳列データ記憶部２３と、書式データ記憶部２４とから構成されている。なお、本例では、データベース１６を機能別に各記憶部２１〜２４に分散した態様としたが、この分散の態様に限定されない。
【００３３】
商品データ記憶部２１には、陳列棚Ｔ（図９参照）に陳列する商品の商品データ２５が記憶されている。図２に示すように、この商品データ２５は、本例では、商品コード２５ａ、商品名２５ｂ、価格２５ｃ、商品寸法２５ｄによって構成されている。商品コード２５ａは、商品を識別するためのデータであり、所定桁の英数字で構成されている。商品名２５ｂは、商品の名称を表すデータであり、テキストデータで構成されている。価格２５ｃは、商品価格を表す価格データである。商品寸法２５ｄは、商品幅（陳列棚ＴのレールＲの長手方向における長さ）を表す数値データであり、本例ではｃｍの寸法単位で表されている。
【００３４】
画像データ記憶部２２には、商品の商品画像２６（図９参照）を保存した画像ファイル２６ａが記憶されている。具体的には、図３に示すように、各商品の画像ファイル２６ａが同商品の商品コード２５ａに関連付けられて記憶されている。なお、商品画像２６は、本例では写真画像データ（カラー画像）で構成されており、棚札に印字する大きさに縮尺されて保存されている。
【００３５】
陳列データ記憶部２３には、陳列棚Ｔに陳列する商品の陳列データ２７が記憶されている。図４に示すように、この陳列データ２７は、商品の商品コード２５ａに関連付けられて記憶されており、本例では、棚番２７ａ、レール長２７ｂ、陳列順番２７ｃ、陳列数２７ｄ、陳列位置２７ｅによって構成されている。棚番２７ａは、商品の陳列棚Ｔを識別するためのデータであり、所定桁の英数字で構成されている。レール長２７ｂは、陳列棚Ｔの一列分の幅（すなわちレールＲの長さ）を表す数値データであり、本例ではｃｍの寸法単位で表されている。陳列順番２７ｃは、陳列棚Ｔ内での商品の陳列順序を表すデータであり、本例では陳列棚Ｔの左端（向かって左端）を基準に該左端からの陳列順序が表されている。陳列数２７ｄは、陳列棚Ｔ内での列方向の商品陳列数を表す数値データである。
【００３６】
陳列位置２７ｅは、陳列棚Ｔ内での商品の陳列開始位置を表す数値データであり、本例では、陳列棚Ｔの左端からの距離（絶対位置）がｃｍの寸法単位で表されている。具体的には、陳列位置２７ｅは、商品の陳列順番２７ｃと、その商品よりも左側に陳列されている商品の商品寸法２５ｄと陳列数２７ｄとに基づいて算出されるようになっている。ただし、陳列順番２７ｃが「１番目」に設定されている商品については、その陳列位置２７ｅが「０（ｃｍ）」に設定されている。すなわち、各陳列棚Ｔ内において、最も左側に陳列される商品はその陳列位置２７ｅが「０（ｃｍ）」に設定され、それ以降右側に陳列される商品については、それまでに左側に陳列されている商品の商品寸法２５ｄと陳列数２７ｄとに基づいて陳列位置２７ｅが求められるようになっている。
【００３７】
書式データ記憶部２４には、棚札を作成するための書式データ（作成フォーマット２８）が記憶されている。図５に示すように、この作成フォーマット２８には、棚札の縦横比を定義した棚札サイズ（縦幅Ｌ×横幅Ｗ）と、該棚札に印字する各種データの印字位置を定義したレイアウト領域２９とが設定されている。なお、本例では、棚札に、商品名２５ｂ、価格２５ｃ、商品画像２６、陳列位置２７ｅを印字するためのレイアウト領域２９ａ〜２９ｄが設定されている。
【００３８】
次に、本実施の形態の棚札作成システム１にかかる店舗端末１２及び管理サーバ１３の機能構成を図６及び図７に従って説明する。
図６は、店舗端末１２の概略ハードウェア構成を示すブロック図である。
【００３９】
店舗端末１２は、操作部３１、表示部３２、入出力Ｉ／Ｆ（インタフェース、以下同じ）部３３、制御部３４、通信Ｉ／Ｆ部３５を有して構成されている。
入出力Ｉ／Ｆ部３３は、操作部３１や表示部３２、さらには、プリンタ１５との間のデータの授受を制御する。操作部３１は、例えばキーボード３１ａやマウス３１ｂ（それぞれ図１参照）等により構成され、これらは店舗２の店員による各種データや指示の入力に用いられる。表示部３２は、例えばＣＲＴやＬＣＤ等のモニタ３２ａ（図１）により構成され、これには店員が処理を行う際の画面及びその処理結果を示す画面等が表示される。通信Ｉ／Ｆ部３５は、店舗端末１２と、図示しないルータ等の通信装置を介したネットワーク１４との間の通信制御を行う。
【００４０】
制御部３４は、図示しないＣＰＵ、ＲＯＭ、ＲＡＭ等により構成され、機能概念的には、棚札データ取得部４１と、印刷制御部４２とを有して構成されている。なお、これら各機能部（４１，４２）での処理を実現するためのプログラムは例えばＲＯＭに記憶されており、ＣＰＵは、このＲＯＭに記憶されているプログラムに従ってＲＡＭをバッファ等の作業領域として利用しながら処理を実行する。
【００４１】
棚札データ取得部４１は、作成（印刷）する棚札の画像データ（以下「棚札データ」）を管理サーバ１３より取得する処理部である。具体的には、本例では、棚札の作成を行う商品の商品コード２５ａを管理サーバ１３に送信し、その商品コード２５ａに基づいて、それに対応する棚札データを管理サーバ１３から取得するようになっている。なお、棚札の作成を行う商品の選択は、例えば、商品データ記憶部２１に記憶されている商品の一覧を管理サーバ１３より取得し、その商品一覧から店舗２の店員が商品を選択することにより行うことができる。
【００４２】
印刷制御部４２は、棚札データ取得部４１により取得した棚札データをプリンタ１５が扱うことのできる印刷データに変換して、その印刷データをプリンタ１５に送信する処理部である。すなわち、プリンタ１５は、この印刷制御部４２から供給される印刷データに基づいて所定の印刷媒体（本例ではロール紙）に対する印刷を行う。これにより、棚札が作成される。なお、このような印刷制御部４２の機能をプリンタ１５側に設け、店舗端末１２が受信した棚札データをプリンタ１５側で印刷データに変換するようにしてもよい。
【００４３】
図７は、管理サーバ１３の概略ハードウェア構成を示すブロック図である。
管理サーバ１３は、通信Ｉ／Ｆ部５１、制御部５２を有して構成されている。通信Ｉ／Ｆ部５１は、図示しないルータなどの通信装置を介したネットワーク１４との間の双方向の通信制御を行う。制御部５２は、図示しないＣＰＵ、ＲＯＭ、ＲＡＭ等により構成され、機能概念的には、データ登録／管理部６１と、データ抽出／作成部６２と、データ送信部６３とを有して構成されている。なお、これら各機能部（６１〜６３）での処理を実現するためのプログラムは例えばＲＯＭに記憶されており、ＣＰＵは、このＲＯＭに記憶されているプログラムに従って、ＲＡＭをバッファ等の作業領域として利用しながら処理を実行する。
【００４４】
データ登録／管理部６１は、データベース１６へのデータの登録、及び登録されたデータの管理を行う処理部である。具体的には、商品データ記憶部２１への商品データ２５の登録、画像データ記憶部２２への商品画像２６（画像ファイル２６ａ）の登録、陳列データ記憶部２３への陳列データ２７の登録、書式データ記憶部２４への作成フォーマット２８の登録、及び、それら各記憶部２１〜２４に登録されたデータの変更、削除等を行う。なお、上述した商品の陳列順番２７ｃと陳列数２７ｄと商品寸法２５ｄとに基づく商品の陳列位置２７ｅの算出は、このデータ登録／管理部６１が行う。そして、例えば、商品の陳列順番２７ｃや陳列数２７ｄが変更される場合には、それに応じて同陳列位置２７ｅのデータを更新するようになっている。ちなみに、本例においては、このデータ登録／管理部６１は、例えば店舗端末１２から受信する店舗コード（図示略）に基づいて、陳列データ記憶部２３内のデータを店舗毎に管理するようになっている。
【００４５】
データ抽出／作成部６２は、店舗端末１２からの棚札データの取得要求に応答して、データベース１６から棚札の作成に必要な各種データを抽出し、該抽出したデータをもとに棚札データを作成する処理部である。具体的には、本例では、店舗端末１２から受信した商品コード２５ａに基づいて、その商品の商品名２５ｂと価格２５ｃを商品データ記憶部２１から抽出するとともに、商品画像２６を画像データ記憶部２２から抽出する。また、その商品の陳列棚Ｔ内での陳列位置２７ｅを陳列データ記憶部２３から抽出する。さらには、その商品の棚札を作成するための作成フォーマット２８を書式データ記憶部２４から抽出する。そして、それら抽出した商品名２５ｂ、価格２５ｃ、商品画像２６、陳列位置２７ｅを作成フォーマット２８上の各レイアウト領域２９ａ〜２９ｄにそれぞれ配置することにより棚札データを作成する。
【００４６】
データ送信部６３は、データ抽出／作成部６２により作成した棚札データを店舗端末１２に送信する処理部である。
次に、本実施の形態の棚札作成システム１における棚札作成処理の流れを図８に従って説明する。
【００４７】
図８は、棚札作成処理を示すフローチャートである。
店舗端末１２は、ステップＳ１１０において、棚札を作成する商品が店舗２の店員により選択されると、次いでステップＳ１２０において、その商品の商品コード２５ａを管理サーバ１３に送信して棚札データの取得要求を行う。
【００４８】
管理サーバ１３は、店舗端末１２から商品コード２５ａを受信すると、ステップＳ１３０〜ステップＳ１７０において、それぞれ棚札データの作成に必要なデータをデータベース１６から抽出する。すなわち、ステップＳ１３０では、商品データ記憶部２１から商品の商品名２５ｂと価格２５ｃを抽出し、ステップＳ１４０では、画像データ記憶部２２から商品画像２６を抽出し、ステップＳ１５０では、陳列データ記憶部２３から商品の陳列位置２７ｅを抽出し、ステップＳ１６０では、書式データ記憶部２４から棚札の作成フォーマット２８を抽出する。そして、管理サーバ１３は、ステップＳ１７０において、上記各記憶部２１〜２４からそれぞれ抽出したデータに基づいて棚札データを作成し、次いでステップＳ１８０において、この作成した棚札データを店舗端末に送信する。
【００４９】
店舗端末１２は、管理サーバ１３から棚札データを受信すると、ステップＳ１９０において、この棚札データをプリンタ１５が処理可能な印刷データに変換し、次いでステップＳ２００において、この印刷データをプリンタ１５に送信する。
【００５０】
そして、プリンタ１５は、ステップＳ２１０において、店舗端末１２から受信した印刷データに基づいて所定の印刷媒体に対する印刷処理を行う。これにより、上記ステップＳ１１０で選択された商品についての棚札が作成される。
【００５１】
次に、本実施の形態の棚札作成システム１により作成される棚札を使用して商品を陳列する方法を図９及び図１０に従って説明する。
図９は、陳列棚Ｔに、商品Ｇ１〜Ｇ３の３種類の商品を陳列する場合を示す模式図である。なお、商品Ｇ１は陳列棚Ｔの最も左端（向かって左端）に陳列する商品、商品Ｇ２は商品Ｇ１の右側に陳列する商品、商品Ｇ３は商品Ｇ２の右側に陳列する商品である。ここでは、商品Ｇ１〜Ｇ３についてそれぞれ作成される各棚札１００のうち、商品Ｇ２の棚札１００を例に挙げて説明する。
【００５２】
同図に示すように、棚札１００には、商品Ｇ２の商品名２５ｂ（ここでは「菊花束」）、価格２５ｃ（ここでは「３８０円」）、商品画像２６、陳列位置２７ｅ（ここでは「３５ｃｍ」）が印字されている。なお、商品Ｇ１，Ｇ３の各棚札１００についてもそれぞれの商品に対応した同様な内容が印字されている。
【００５３】
この棚札１００を使用して商品Ｇ２の陳列を行うには、まず、棚札１００を陳列棚ＴのレールＲに取り付ける。取り付けに際しては、図１０に示すように、レールＲの長さ方向に定規Ｍをあてがい、棚札１００に印字された陳列位置２７ｅの寸法数値と定規Ｍの寸法数値とが互いに合致する位置（ここではレールＲの左端から３５ｃｍの位置）に同棚札１００を取り付ける。なお、定規Ｍについては、プリンタ１５で別途印刷するようにしてもよいし、あるいは、あらかじめ用意したもの（メジャー製品等）を使用してもよい。こうして棚札１００をレールＲに取り付けた後、この棚札１００の位置を基準として商品Ｇ２を陳列棚Ｔの右方向に陳列していく。すなわち、上記陳列位置２７ｅに基づいてレールＲに取り付けられた棚札１００の位置は、商品Ｇ２の陳列開始位置を示すものとなっている。したがって、この棚札１００の取り付け位置をもとに商品Ｇ２を陳列すれば、陳列棚Ｔが列方向に商品Ｇ１〜Ｇ３の種類毎に区画されていなくとも、また、陳列棚Ｔの左端から商品Ｇ１〜Ｇ３を順番に並べていかなくとも、商品Ｇ２の陳列する位置を正確に把握しながら同商品Ｇ２を効率よく陳列することができる。
【００５４】
以上記述したように、本実施の形態によれば、以下の効果を奏する。
（１）棚札１００に、陳列棚Ｔ内における商品の列方向の陳列開始位置を示す陳列位置２７ｅを印字するようにした。これにより、たとえ陳列棚Ｔが列方向に区画されていなくとも、レールＲに取り付けた棚札１００の位置をもとに、その商品を陳列する位置を正確に把握しながら陳列することができる。したがって、商品の陳列作業を効率よく行うことができる。
【００５５】
（２）棚札１００に印字する陳列位置２７ｅを、その商品の陳列順番２７ｃにしたがって、その商品よりも左側に陳列される商品の商品寸法２５ｄと陳列数２７ｄとに基づいて求めるようにした。これにより、陳列棚Ｔに陳列する商品の種類を変更する場合や、あるいは、商品を陳列する順序、陳列する数を変更する場合にも、各商品の陳列位置２７ｅをその都度、正確に求めることができる。言い換えれば、陳列棚Ｔで各商品を陳列する位置や順番等をそれら各商品の大きさや在庫数等に応じて柔軟に変更することが容易に可能となる。
【００５６】
（３）棚札１００には、商品の商品名２５ｂ、価格２５ｃに加えて、さらに、商品画像２６を印字するようにした。これにより、見分けの難しい商品についても、商品画像２６によって商品を一目瞭然に見分けることができるようになる。これにより、陳列作業をより効率良く行うことが可能となる。
【００５７】
（第２の実施の形態）
次に、この発明の第２の実施の形態を、第１の実施の形態との相違点を中心に図１１に従って説明する。なお、第１の実施の形態と同様な構成部分については同一符号を付して説明する。
【００５８】
この第２の実施の形態は、第１の実施の形態により作成される棚札の横幅Ｗ（図５）をその商品の列方向の陳列範囲の長さに拡大したものであり、その他は第１の実施の形態とほぼ同様である。
【００５９】
すなわち、図１１に示すように、本実施の形態の棚札１１０は、その棚札１１０の商品の商品寸法２５ｄと陳列数２７ｄとに基づいて決まる商品陳列範囲の長さに相当する横幅Ｗ１で形成されている。この場合、各棚札１１０は、レールＲ内で互いに隣接して配置される。このように棚札１１０を形成しても、先の第１の実施の形態と同様な効果を奏することができる。
【００６０】
なお、この棚札１１０においては、その棚札１１０内のスペースを利用して、図１１に示すような広告情報１１１を入れることもできる。この場合の広告情報１１１としては、店舗２側により指定（作成）される広告情報（例えば「広告の品」等）であってもよいし、あるいは、商品を供給するメーカ側により指定（作成）される広告情報（例えばそのメーカが供給する他の商品の紹介情報等）であってもよい。すなわち、このような広告情報１１１を例えば商品に関連付けてデータベース１６に登録しておき、棚札１１０の作成時に、それぞれ対応する広告情報１１１をデータベース１６より抽出して印字するようにすれば、各棚札１１０内のスペースを有効活用して付加価値の高い棚札１１０を作成することができる。
【００６１】
（第３の実施の形態）
次に、この発明の第３の実施の形態を、第１の実施の形態との相違点を中心に図１２に従って説明する。なお、第１の実施の形態と同様な構成部分については同一符号を付して説明する。
【００６２】
この第３の実施の形態は、陳列棚Ｔの一列分の棚札を一つにまとめ、それらを一括して作成（印刷）するようにしたものである。
すなわち、図１２に示すように、本実施の形態の棚札１２０は、一つの陳列棚Ｔに陳列する各商品（図では例えば４商品分）の棚札１２０ａ〜１２０ｄを全て含む態様で、その横幅Ｗ２がレールＲの長さを有して短冊状に形成されている。各商品の棚札１２０ａ〜１２０ｄはそれら各商品の陳列位置２７ｅにそれぞれ対応した位置に長手方向にレイアウトされており、それぞれレイアウトされた各棚札１２０ａ〜１２０ｄの左端の位置が各商品の陳列開始位置を示すものとなっている。このように棚札１２０を形成すれば、先の第１の実施の形態と同様な効果を奏するのみならず、一つの陳列棚Ｔに陳列する全商品分についての棚札１２０ａ〜１２０ｄを一括して印刷することができるため、レールＲへの棚札１２０の取り付け作業が容易となる。なお、本実施の形態の様な一括印刷タイプの棚札１２０の場合には、各棚札１２０ａ〜１２０ｄにそれぞれ印字する陳列位置２７ｅを省略してもよい。
【００６３】
なお、上記各実施の形態では、以下の態様に変更した変形例を採用してもよい。
（変形例１）上記各実施の形態で述べた棚札作成システム１では、店舗端末１２の備える機能と管理サーバ１３の備える機能とを１つのコンピュータ（すなわち店舗端末１２のみ）に備えて実現することもできる。また、この棚札作成システム１は、複数のコンピュータに棚札１００（又は１１０又は１２０）を作成するためのプログラム（棚札作成プログラム）をそれぞれインストールすることによっても実現することができる。なお上記各実施の形態及び本変形例１における棚札作成プログラムは、フレキシブルディスクやＣＤ−ＲＯＭ等の可搬型媒体やネットワーク接続された他の計算機の主記憶装置や補助記憶装置等に格納されて提供される。提供されたプログラムは、可搬型媒体から直接計算機の主記憶装置にロードされ、または、可搬型媒体から一旦補助記憶装置にコピーもしくはインストール後に主記憶装置にロードされて実行される。また、ネットワーク接続された他の装置に格納されて提供された場合も、他の装置からネットワークを経由して受信後に補助記憶装置にコピーもしくはインストールされ、主記憶装置にロードされ実行されるものである。
【００６４】
（変形例２）上記第２の実施の形態において棚札１１０に印字するような広告情報１１１を、第１の実施の形態の棚札１００、あるいは、第３の実施の形態の棚札１２０に印字するようにしてもよい。
【００６５】
（変形例３）上記各実施の形態では、陳列棚Ｔの左端（向かって左端）を基準として、該左端から順番に商品を陳列する態様に具体化したが、基準位置を右端にして、該右端から順番に商品を陳列する態様に具体化してもよい。
【００６６】
（変形例４）上記各実施の形態では、陳列棚Ｔの左端からの絶対位置を示す寸法値にて陳列位置２７ｅを印字するようにしたが、隣接する各商品間の相対位置を示す寸法値にて陳列位置２７ｅを印字するようにしてもよい。なお、この場合にも、陳列棚Ｔで基準となる一端側（左端もしくは右端）に陳列する商品については、その陳列位置２７ｅの値を「０ｃｍ」とする。
【００６７】
（変形例５）上記各実施の形態では、棚札１００（又は１１０又は１２０）に、それぞれ商品名２５ｂ、価格２５ｃ、商品画像２６、陳列位置２７ｅを印字するようにしたが、少なくともこれらのうち商品名２５ｂ、価格２５ｃ、陳列位置２７ｅが印字されるものであればよい。また、これらが印字されるのみに限られず、さらに、その他の情報を印字するようにしてもよい。
【００６８】
（変形例６）上記各実施の形態では、商品コード２５ａに基づいて、棚札１００（又は１１０又は１２０）の作成に必要なデータをデータベース１６から抽出し、それらをもとに棚札データを作成するようにしたが、あらかじめ各商品に対応する棚札データを作成してデータベース１６に登録しておくようにしてもよい。
【００６９】
（変形例７）上記各実施の形態では、管理サーバ１３側で棚札データを作成するようにしたが、データベース１６から抽出したデータを店舗端末１２に送信して、店舗端末１２側で棚札データを作成するようにしてもよい。
【００７０】
（変形例８）上記各実施の形態では、商品を選択することにより、その商品の棚札１００（又は１１０又は１２０）を作成するようにしたが、陳列棚Ｔを選択することにより、その陳列棚Ｔに陳列する各商品についての棚札を作成するようにしてもよい。なお、この場合は、陳列データ２７に登録されている棚番２７ａをもとに、必要なデータを抽出するようにすればよい。
【００７１】
（変形例９）上記各実施の形態では、棚札１００（又は１１０又は１２０）を印字する背景色を変更したり、下地に背景模様を加えるようにしてもよい。すなわち、このような背景デザインを設定するための背景データを例えば商品や陳列棚に関連付けてデータベース１６に登録しておき、商品毎、陳列棚毎、又は商品供給メーカ毎に背景色や背景模様等を変更することで、陳列棚に陳列する商品やメーカを一目瞭然に見分けることができるようになる。これにより、陳列作業を効率化することができ、一段と付加価値の高い棚札１００（又は１１０又は１２０）を作成することができる。
【００７２】
（変形例１０）上記各実施の形態では、棚札１００（又は１１０又は１２０）の作成前に、データベース１６に登録した陳列データ２７に基づいて、商品陳列のシミュレーションを行うこともできる。このようなシミュレーションを行った後に棚札１００（又は１１０又は１２０）を作成することで、陳列作業をより一層効率化することができる。
【００７３】
（変形例１１）その他上記実施の形態及び上記各変形例で述べた構成における設計的事項は、本発明の技術的思想の範囲内において適宜変更することができる。
【図面の簡単な説明】
【００７４】
【図１】本発明の第１の実施の形態における棚札作成システムを示す概略構成図。
【図２】データベースの構造を示す概念図。
【図３】データベースの構造を示す概念図。
【図４】データベースの構造を示す概念図。
【図５】棚札の作成フォーマットを示す模式図。
【図６】店舗端末の概略ハードウェア構成を示すブロック図。
【図７】管理サーバの概略ハードウェア構成を示すブロック図。
【図８】棚札作成処理を示すフローチャート。
【図９】棚札の使用例を示す模式図。
【図１０】棚札の取り付け方法を示す模式図。
【図１１】第２の実施の形態の棚札を示す模式図。
【図１２】第３の実施の形態の棚札を示す模式図。
【符号の説明】
【００７５】
Ｔ：陳列棚、Ｒ：レール、Ｇ１，Ｇ２，Ｇ３：商品、１：棚札作成システム（コンピュータシステム）、２：店舗、１２：店舗端末、１３：管理サーバ、１４：ネットワーク、１５：プリンタ、１６：データベース、２１：商品データ記憶部、２２：画像データ記憶部、２３：陳列データ記憶部、２４：書式データ記憶部、２５：商品データ、２５ａ：商品コード、２５ｂ：商品名、２５ｃ：価格、２５ｄ：商品寸法、２６：商品画像、２６ａ：画像ファイル、２７：陳列データ、２７ａ：棚番、２７ｂ：レール長、２７ｃ：陳列順番、２７ｄ：陳列数、２７ｅ：陳列位置、２８：作成フォーマット、３４：制御部、４１：棚札データ取得部、４２：印刷制御部、５２：制御部、６１：データ登録／管理部、６２：データ抽出／作成部、６３：データ送信部、１００，１１０，１２０：棚札、１１１：広告情報。
【図１】
2006218030.tif 000003
【図２】
2006218030.tif 000004
【図３】
2006218030.tif 000005
【図４】
2006218030.tif 000006
【図５】
2006218030.tif 000007
【図６】
2006218030.tif 000008
【図７】
2006218030.tif 000009
【図８】
2006218030.tif 000010
【図９】
2006218030.tif 000011
【図１０】
2006218030.tif 000012
【図１１】
2006218030.tif 000013
【図１２】
2006218030.tif 000014